(57)【要約】【課題】製造コスト削減、部品管理の簡素化のため、１つのイメージセンサーを読取可能最大サイズが異なる画像読取装置で兼用できるようにする。【解決手段】画像読取装置は、ランプ、イメージセンサー部、画像データ生成部、スイッチ、制御部を含む。ラインセンサーは、第１読取幅での原稿の読み取りに必要な第１受光素子と、第２読取幅での原稿の読み取りに必要であるが第１読取幅での原稿読み取りに必要がない第２受光素子を含む。第２読取幅は第１読取幅よりも広い。スイッチは、第２受光素子に対応する第２転送素子への転送信号の入力、非入力を切り替える。【選択図】図７
2020022119.tif 000002
【特許請求の範囲】
【請求項１】
原稿に光を照射するランプと、
原稿の反射光を受光し、並べられた複数の受光素子を含むラインセンサーと、各前記受光素子に対応して設けられ、前記受光素子から蓄えられた電荷を受け、転送信号のレベル変化に基づき前記電荷を転送する転送素子を含む転送回路部と、を含むイメージセンサー部と、
前記転送回路部から出力される前記電荷に基づき、画像データを生成する画像データ生成部と、
前記転送信号の伝達を制御するためのスイッチと、
前記スイッチのＯＮ／ＯＦＦを行う制御部と、を備え、
前記ラインセンサーは、第１読取幅での原稿の読み取りに必要な第１受光素子と、第２読取幅での原稿の読み取りに必要であるが前記第１読取幅での原稿読み取りに必要がない前記第２受光素子を含み、
前記第２読取幅は前記第１読取幅よりも広く、
前記スイッチは、
各前記転送素子に前記転送信号を入力するための転送信号線と接続され、
前記第１受光素子に対応する前記転送素子である第１転送素子と、前記第２受光素子に対応する前記転送素子である第２転送素子のうち、前記第２転送素子への前記転送信号の入力、非入力を切り替えることを特徴とする画像読取装置。
【請求項２】
前記スイッチは、
ＯＮ状態のとき、前記第１転送素子と、前記第２転送素子に前記転送信号を入力し、
ＯＦＦ状態のとき、前記第１転送素子に前記転送信号を入力するが、前記第２転送素子に前記転送信号を入力せず、
前記制御部は、
原稿の主走査方向の幅を認識し、
前記読取幅が前記第１読取幅以下のとき、前記スイッチをＯＦＦ状態とし、
前記読取幅が前記第１読取幅を超えているとき、前記スイッチをＯＮ状態とすることを特徴とする請求項１に記載の画像読取装置。
【請求項３】
原稿を読取位置に搬送する原稿搬送部を含み、
前記制御部は、
１ラインの読取周期を設定し、
前記読取幅が前記第１読取幅以下のとき、前記読取周期として第１周期を設定し、
前記読取幅が前記第１読取幅を超えているとき、前記読取周期として第２周期を設定し、
前記読取幅が前記第１読取幅以下のとき、第１搬送速度で前記原稿搬送部に原稿を搬送させ、
前記読取幅が前記第１読取幅を超えているとき、第２搬送速度で前記原稿搬送部に原稿を搬送させ、
前記第１周期は、前記第２周期よりも短く、
前記第１搬送速度は、前記第２搬送速度よりも速いことを特徴とする請求項１又は２に記載の画像読取装置。
【請求項４】
原稿が置かれる載置読取用コンタクトガラスと、
前記ランプと原稿の反射光を前記ラインセンサーに導くミラーと、
前記ランプとミラーが設けられた移動枠を移動させる移動機構を含み、
前記制御部は、
１ラインの読取周期を設定し、
前記読取幅が前記第１読取幅以下のとき、前記読取周期として第１周期を設定し、
前記読取幅が前記第１読取幅を超えているとき、前記読取周期として第２周期を設定し、
前記読取幅が前記第１読取幅以下のとき、第１移動速度で前記移動枠を前記移動機構に移動させ、
前記読取幅が前記第１読取幅を超えているとき、第２移動速度で前記移動枠を前記移動機構に移動させ、
前記第１移動速度は、前記第２移動速度よりも速いことを特徴とする請求項１又は２に記載の画像読取装置。
【請求項５】
前記制御部は、
前記読取幅が前記第１読取幅以下のとき、第１光量で前記ランプを点灯させ、
前記読取幅が前記第１読取幅を超えているとき、第２光量で前記ランプを点灯させ、
前記第１光量は、前記第２光量よりも多いことを特徴とする請求項３又は４に記載の画像読取装置。
【請求項６】
前記制御部は、前記第２受光素子に対応する前記転送素子への前記転送信号を非入力とする状態で前記スイッチの状態を固定することを特徴とする請求項１に記載の画像読取装置。
【発明の詳細な説明】
【技術分野】
【０００１】
本発明は、原稿の読取を行う画像読取装置に関する。
【背景技術】
【０００２】
画像読取装置は、原稿の反射光に基づき読み取りを行うイメージセンサーを含む。イメージセンサーは複数の受光素子を含む。受光素子に蓄えられた電荷が取り出される。各画素の電荷は、１画素分ずつシフトされて出力される。出力された電荷に基づき画像データが生成される。特許文献１には電荷をシフトする画像読取装置の一例が記載されている。
【０００３】
具体的に、特許文献１には、原稿を照射するＬＥＤ光源の反射光をＣＣＤイメージセンサーで受光して原稿から画像を読み取り、ＣＣＤイメージセンサーの受光部が一時的に蓄積する電荷をシフトさせるシフト信号に同期させて、ＬＥＤ光源のオンオフを制御し、オンオフさせたＬＥＤ光源の反射光に基づいて、ＣＣＤイメージセンサーの残像特性値を算出する画像読取装置が記載されている。この構成により、転送されずに各ＣＣＤ（撮像素子）に残る電荷の以降の転送に混入する特性（残像特性）を測ろうとする（特許文献１：請求項１、［０００６］等参照）。
【先行技術文献】
【特許文献】
【０００４】
【特許文献１】特開２０１４−０６０５５４号公報
【発明の概要】
【発明が解決しようとする課題】
【０００５】
画像読取装置は、イメージセンサー（ラインセンサー）を含む。ラインセンサーに、ＣＣＤ型のイメージセンサーを用いられることがある。イメージセンサーの各受光素子は、受光量に応じた電荷を蓄える。各受光素子の電荷が取り出される。そして、取り出された電荷は、ＣＣＤ素子により、１画素分ずつシフトされ、出力される。出力された電荷に基づくＡ／Ｄ変換がなされる。
【０００６】
画像読取装置には、原稿の読取可能最大サイズに対応したイメージセンサーが搭載される。例えば、読取可能最大サイズがＡ３の画像読取装置では、Ａ３用のイメージセンサーが搭載される。また、読取可能最大サイズがＡ４の画像読取装置では、Ａ４用のイメージセンサーが搭載される。機種ごとに、読取可能最大サイズが異なる。そのため、サイズの異なるイメージセンサーが生産されている。様々なサイズのイメージセンサーを生産すると、大量生産による製造コスト削減効果を得られにくいという問題がある。また、イメージセンサーを組み込んだ製品を設計、生産する場合、部品管理が複雑となり、製品のコストが高くなる。
【０００７】
本発明は、上記従来技術の問題点に鑑み、製造コスト削減、部品管理の簡素化のため、１つのイメージセンサーを読取可能最大サイズが異なる画像読取装置で兼用できるようにする。
【課題を解決するための手段】
【０００８】
本発明に係る画像読取装置は、ランプ、イメージセンサー部、画像データ生成部、スイッチ、制御部（読取制御部）を含む。前記ランプは、原稿に光を照射する。前記イメージセンサー部は、ラインセンサーと転送回路部を含む。前記ラインセンサーは、原稿の反射光を受光し、並べられた複数の受光素子を含む。前記転送回路部は各前記受光素子に対応して設けられる。前記転送回路部は前記受光素子から蓄えられた電荷を受ける。前記転送回路部は転送信号のレベル変化に基づき前記電荷を転送する転送素子を含む。前記画像データ生成部は、前記転送回路部から出力される前記電荷に基づき、画像データを生成する。前記スイッチは、前記転送信号の伝達を制御する。前記制御部は、前記スイッチのＯＮ／ＯＦＦを行う。前記ラインセンサーは、第１読取幅での原稿の読み取りに必要な第１受光素子と、前記第２読取幅での原稿の読み取りに必要であるが前記第１読取幅での原稿読み取りに必要がない前記第２受光素子を含む。前記第２読取幅は前記第１読取幅よりも広い。前記スイッチは、各前記転送素子に前記転送信号を入力するための転送信号線と接続される。前記スイッチは、前記第１受光素子に対応する前記転送素子である第１転送素子と、前記第２受光素子に対応する前記転送素子である第２転送素子のうち、前記第２転送素子への前記転送信号の入力、非入力を切り替える。
【発明の効果】
【０００９】
本発明によれば、１つのイメージセンサーを読取可能最大サイズが異なる画像読取装置で兼用することができる。イメージセンサー、画像読取装置の製造コストを減らすことができる。画像読取装置の製造における部品管理を簡素化することができる。
【図面の簡単な説明】
【００１０】
【図１】実施形態に係る複合機の一例を示す図である。
【図２】実施形態に係る画像読取部と原稿搬送部の一例を示す図である。
【図３】実施形態に係る画像読取部と原稿搬送部の一例を示す図である。
【図４】実施形態に係る複合機での画像データの生成の一例を示す図である。
【図５】実施形態に係る複合機での電荷転送の一例を示す図である。
【図６】実施形態に係るスイッチのＯＮ／ＯＦＦによる読取幅の変化の一例を示す図である。
【図７】実施形態に係る複合機の原稿の読み取りでの設定の流れの一例を示す図である。
【発明を実施するための形態】
【００１１】
以下、図１〜図７を用い、実施形態に係る画像読取装置を説明する。画像読取装置として、複合機１００を例に挙げて説明する。本実施形態の説明に記載されている構成、配置等の各要素は、発明の範囲を限定せず単なる説明例にすぎない。
【００１２】
（複合機１００）
図１を用いて、実施形態に係る複合機１００を説明する。図１は、実施形態に係る複合機１００の一例を示す図である。
【００１３】
図１に示すように、複合機１００は、主制御部１０１、画像読取部１、原稿搬送部２、記憶部３、操作パネル４、印刷部５、通信部６を含む。
【００１４】
主制御部１０１は複合機１００の動作を制御する。主制御部１０１はジョブでの複合機１００の動作を制御する。ジョブは、例えば、コピーや送信である。主制御部１０１は、制御回路１０２と画像処理回路１０３を含む。制御回路１０２は、例えば、ＣＰＵである。記憶部３は不揮発性の記憶装置と、揮発性の記憶装置を含む。不揮発性の記憶装置は、例えば、ＲＯＭ、ストレージ（ＨＤＤ又はＳＳＤ）である。揮発性の記憶装置は、ＲＡＭである。主制御部１０１は、記憶部３のプログラムやデータに基づき、各部を制御する。画像処理回路１０３は、画像データの画像処理を行う。
【００１５】
画像読取部１は、原稿を読み取って画像データを生成する。原稿搬送部２は、原稿の読み取り位置に向けて、セットされた原稿を１枚ずつ自動的に搬送する。画像読取部１と原稿搬送部２の詳細は後述する。
【００１６】
操作パネル４は使用者の設定を受け付ける。操作パネル４は、表示パネル４ａ、タッチパネル４ｂ、ハードキー４ｃを含む。主制御部１０１は、メッセージ、設定用画面を表示パネル４ａに表示させる。主制御部１０１は、操作用画像を表示パネル４ａに表示させる。例えば、操作用画像はボタン、キー、タブである。タッチパネル４ｂの出力に基づき、主制御部１０１は、操作された操作用画像を認識する。ハードキー４ｃはスタートキー４ｄやテンキーを含む。タッチパネル４ｂ、ハードキー４ｃは使用者の設定操作（ジョブに関する操作）を受け付ける。例えば、操作パネル４は、原稿を読み取るジョブでの原稿のサイズの設定を受け付ける。主制御部１０１は操作パネル４の出力に基づき設定内容を認識する。
【００１７】
印刷部５は、給紙部５ａ、用紙搬送部５ｂ、画像形成部５ｃ、定着部５ｄを含む。印刷ジョブのとき、主制御部１０１は用紙を給紙部５ａに供給させる。主制御部１０１は用紙を用紙搬送部５ｂに搬送させる。主制御部１０１は画像データに基づくトナー像を画像形成部５ｃに形成させる。主制御部１０１は搬送用紙へのトナー像の転写を画像形成部５ｃに行わせる。主制御部１０１は転写されたトナー像の用紙への定着を定着部５ｄに行わせる。紙搬送部５ｂは印刷済み用紙を機外に排出する。
【００１８】
通信部６は、通信用のハードウェア（通信回路）とソフトウェアを含む。通信部６はコンピューター２００やＦＡＸ装置３００と通信する。コンピューター２００は、例えば、ＰＣやサーバーである。
【００１９】
複合機１００では、画像データに基づくジョブを実行することができる。原稿を読み取って得られた画像データを用いることができる。原稿の画像データに基づくジョブとしては、コピージョブ、スキャン送信ジョブがある。コピージョブのとき、主制御部１０１は、原稿の画像データに基づき、印刷部５に印刷させる。送信ジョブのとき、主制御部１０１は、操作パネル４で設定された宛先に向けて、原稿の画像データに基づく画像ファイルを通信部６に送信させる。
【００２０】
（画像読取部１と原稿搬送部２）
次に、図２、図３を用いて、実施形態に係る画像読取部１と原稿搬送部２の一例を説明する。図２、図３は実施形態に係る画像読取部１と原稿搬送部２の一例を示す図である。
【００２１】
図２に示すように、原稿搬送部２は画像読取部１の上方に設けられる。原稿搬送部２は原稿を搬送する。原稿搬送部２は、ＤＰやＡＤＦと略称されることもある。原稿搬送部２は、画像読取部１に対し上下方向に開閉する。閉じているとき、原稿搬送部２は原稿を上方から押さえるカバーとして機能する。
【００２２】
原稿搬送部２は、セットされた原稿を１枚ずつ搬送する。原稿搬送部２は、送り読取用コンタクトガラス１ａ（読み取り位置）に向けて原稿を搬送する。原稿搬送部２は、原稿搬送方向上流側から順に、原稿トレイ２ａ、供給ローラー２ｂ、原稿搬送路２ｃ、複数の搬送ローラー対２ｄ、排出ローラー対２ｅ、排出トレイ２ｆを含む。原稿は原稿搬送路２ｃを通る。供給ローラー２ｂ、複数の搬送ローラー対２ｄ、排出ローラー対２ｅは、原稿を１枚ずつ排出トレイ２ｆに向けて搬送する。
【００２３】
原稿トレイ２ａには、原稿セットセンサー２１が設けられる。原稿セットセンサー２１の出力は主制御部１０１に入力される。原稿セットセンサー２１の出力に基づき、主制御部１０１は、原稿トレイ２ａ上の原稿の有無を認識する。原稿トレイ２ａに１又は複数枚の原稿がセットされる。また、図３に示すように、原稿搬送制御部２０が原稿搬送部２内に設けられる。原稿搬送制御部２０は処理回路（ＣＰＵやＡＳＩＣ）やメモリーを含む基板である。
【００２４】
また、原稿搬送部２は、原稿サイズセンサー２２を含んでもよい。原稿サイズセンサー２２は原稿トレイ２ａにセットされた原稿のサイズを認識する。原稿サイズセンサー２２の出力は主制御部１０１に入力される。原稿サイズセンサー２２の出力に基づき、主制御部１０１は、原稿トレイ２ａ上の原稿のサイズを認識する。
【００２５】
画像読取部１について説明する。図２に示すように、画像読取部１の上面に送り読取用コンタクトガラス１ａと載置読取用コンタクトガラス１ｂが設けられる。載置読取用コンタクトガラス１ｂの左側に送り読取用コンタクトガラス１ａが設けられる。載置読取用コンタクトガラス１ｂには、書籍のような原稿がセットされる。画像読取部１は、原稿搬送部２が搬送する原稿を読み取る（送り読み取り）。または、画像読取部１は、載置読取用コンタクトガラス１ｂにセットされた原稿を読み取る（テーブル読み取り）。
【００２６】
図３に示すように、画像読取部１は、読取制御部１０（制御部に相当）を含む。読取制御部１０は画像読取部１の動作を制御する。読取制御部１０は、処理回路（ＣＰＵやＡＳＩＣ）、メモリー、その他の回路を含む基板である。読取制御部１０は、主制御部１０１からの指示、信号に基づき、原稿の読み取りを行う。
【００２７】
図２に示すように、画像読取部１は、読取機構１１、移動機構１２を含む。読取機構１１は、第１移動枠１ｃ、第２移動枠１ｄ、レンズ１ｅ、イメージセンサー部１３を含む。第１移動枠１ｃは第２移動枠１ｄの上方に配される。第１移動枠１ｃは、ランプ１４、第１ミラー１ｆを含む。第２移動枠１ｄは、第２ミラー１ｇと第３ミラー１ｈを含む。移動機構１２は、ワイヤー１２ａ、巻取ドラム１２ｂを含む。
【００２８】
ランプ１４と各ミラーは、主走査方向を長手方向とする。各ミラーは原稿の反射光をレンズ１ｅに導く。レンズ１ｅは、原稿の反射光を集光し、イメージセンサー部１３のラインセンサー６に入射する。
【００２９】
ワイヤー１２ａは各移動枠と巻取ドラム１２ｂに接続される。巻取ドラム１２ｂは、正逆回転する巻取モーター１２ｃ（図３参照）により回転する。テーブル読み取りのとき、読取制御部１０は、巻取ドラム１２ｂを回転させる。巻取ドラム１２ｂの回転により、ワイヤー１２ａが巻き取られる。これにより、各移動枠が水平方向（副走査方向、図２の左右方向）で移動する。搬送原稿を読み取るとき、読取制御部１０は、送り読取用コンタクトガラス１ａの下方に読取機構１１を配置する。なお、第１移動枠１ｃに対し、第２移動枠１ｄが半速で移動するように、ワイヤー１２ａがかけられている。
【００３０】
主制御部１０１は、原稿セットセンサー２１の出力に基づき、原稿搬送部２（原稿トレイ２ａ）に原稿がセットされているか否かを確認する。原稿トレイ２ａに原稿がセットされているとき、主制御部１０１は、原稿搬送制御部２０と読取制御部１０に送り読取要求を出す。送り読取要求に基づき、原稿搬送制御部２０は原稿搬送モーター２３を駆動させる。原稿搬送モーター２３により、供給ローラー２ｂや搬送ローラー対２ｄが回転する。そして原稿は読み取り位置に向けて搬送される。原稿は、送り読取用コンタクトガラス１ａの上側（一方側）を通過する。画像読取部１は、読取機構１１の位置を送り読取用コンタクトガラス１ａの下方とする。
【００３１】
原稿トレイ２ａに原稿がセットされていないとき、主制御部１０１は、画像読取部１にテーブル読取要求を出す。テーブル読取要求に基づき、画像読取部１は、巻取モーター１２ｃ（図３参照）を回転させる。画像読取部１は読み取り位置を副走査方向で移動させる。画像読取部１は、載置読取用コンタクトガラス１ｂにセットされた原稿を読み取る。
【００３２】
（画像データの生成）
次に、図３、図４に基づき、実施形態に係る複合機１００での画像データの生成の一例を説明する。図４は、実施形態に係る複合機１００での画像データの生成の一例を示す図である。
【００３３】
図３、図４に示すように、画像読取部１内には、読取制御部１０、点灯回路１４ａ、ランプ１４、イメージセンサー部１３、画像データ生成部１５が設けられる。
【００３４】
ランプ１４は光源である。ランプ１４は、例えば、ＬＥＤを含む。ランプ１４は主走査方向に沿って光を原稿に照射する。ランプ１４を点灯させるとき、読取制御部１０は、点灯回路１４ａに点灯指示を与える。点灯指示を受けたとき、点灯回路１４ａは、ランプ１４を点灯させる。ランプ１４を消灯するとき、読取制御部１０は、点灯回路１４ａに消灯指示を与える。消灯指示を受けたとき、点灯回路１４ａは、ランプ１４を消灯させる。点灯回路１４ａは、点灯指示を受けてから消灯指示を受けるまで、ランプ１４を点灯させ続ける。
【００３５】
イメージセンサー部１３は、ラインセンサー６と転送回路部７を含む。ラインセンサー６は複数の受光素子６０を含む。受光素子６０は主走査方向に沿って列状に並べられる。各受光素子６０は、ランプ１４から放射され、原稿で反射された光を受光する。転送回路部７（シフトレジスタ）は、複数の転送素子７０を含む。転送素子７０は、ＣＣＤ（Ｃｈａｒｇｅ−Ｃｏｕｐｌｅｄ  Ｄｅｖｉｃｅ）である。転送素子７０は、１つの受光素子６０に対し、１つ設けられる。転送素子７０は、受光素子６０に蓄えられた電荷の保持と転送（シフト）を行う。そして、転送回路部７は、１画素（１受光素子６０）ずつ、電荷を出力する。
【００３６】
画像データ生成部１５は、転送回路部７から出力される電荷に基づき、画像データを生成する。画像データ生成部１５は、各受光素子６０から取り出された電荷に基づく電圧（アナログ画像信号）を処理し、ディジタルデータ（原稿の画像データ）を生成する回路である。画像データ生成部１５は、オフセット回路１６、増幅回路１７、ＡＤ変換回路１８、補正回路１９を含む。ノイズ除去回路のような他種の回路を画像データ生成部１５に含めても良い。
【００３７】
オフセット回路１６は、各受光素子６０の電荷を電圧（アナログ画像信号）に変換し、アナログ画像信号の電圧値を調整する。増幅回路１７は、オフセット調整されたアナログ画像信号を増幅する。ＡＤ変換回路１８は、オフセット回路１６、増幅回路１７で調整されたアナログ画像信号をＡＤ変換する。例えば、アナログ画像信号の電圧値（電荷量）が大きいほど、ＡＤ変換回路１８は、画素値の値を明るい値にする。アナログ画像信号の電圧値（電荷量）が小さいほど、ＡＤ変換回路１８は、画素値の値を暗い値にする。
【００３８】
補正回路１９はＡＤ変換後の画像データを補正する。補正回路１９は、例えば、シェーディング補正を行う。補正後の画像データは、記憶部３６に記憶される。画像処理部４２は、実行するジョブに応じた画像処理を画像データに対して施す。画像処理後の画像データは、印刷や送信のジョブに用いられる。
【００３９】
（電荷の転送）
次に、図５を用いて、実施形態に係る電荷の転送の一例を説明する。図５は、実施形態に係る複合機１００での電荷転送の一例を示す図である。
【００４０】
ラインセンサー６は、複数の受光素子６０を含む。転送回路部７は、複数の転送素子７０を含む。１つの受光素子６０に対し、１つの転送素子７０が設けられる。受光素子６０と転送素子７０は対となっている。転送素子７０は列状に並べられる。
【００４１】
図５は、Ａ３読取可能なラインセンサー６と転送回路部７の一例を示す。読取解像度は６００ｄｐｉである。受光素子６０と転送素子７０の数は、読取可能最大サイズと読取解像度に基づき定まる。複合機１００の読取可能最大サイズはＡ３である。また、複合機１００の読取解像度は６００ｄｐｉである。複合機１００は、少なくも７０１６個の受光素子６０を含むラインセンサー６を備える。ダミー画素を含める場合には、受光素子６０は、７０１６個以上となる。また、複合機１００は、少なくも７０１６個の転送素子７０を含む転送回路部７を備える。ダミー画素を含める場合があるので、転送素子７０も、７０１６個以上でもよい。
【００４２】
１インチは、２５．４ｍｍである。６００ｄｐｉの場合、１ドットのピッチは、２５．４÷６００≒４２．３μｍである。７０１６×４２．３μｍ≒２９．７ｃｍとなる。図５のイメージセンサーは、Ａ３短辺を読み取れるほどの幅がある。
【００４３】
ラインセンサー６と転送回路部７の間にシフトスイッチ８（転送ゲート）が設けられる。シフトスイッチ８は、複数設けられる。１つのシフトスイッチ８は、１つの受光素子６０と受光素子６０に対応する１つの転送素子７０を繋ぐ。シフトスイッチ８により、ｎ番目の受光素子６０とｎ番目の転送素子７０が接続される。
【００４４】
図５に示すように、各シフトスイッチ８には、シフト信号Ｓ０が入力される。読取制御部１０は、シフト信号生成部１０ａを含む。シフト信号生成部１０ａはシフト信号Ｓ０を生成する。読取制御部１０は、シフト信号Ｓ０により、各シフトスイッチ８のＯＮ／ＯＦＦを制御する。シフト信号Ｓ０のレベルが第１レベル（Ｈｉｇｈレベル又はＬｏｗレベル）のとき、シフトスイッチ８はＯＮ状態となる。シフトスイッチ８がＯＮ状態になったとき、各受光素子６０に蓄えられた電荷が対応する転送素子７０に移動する（シフトする）。これにより、受光素子６０から電荷が取り出される。
【００４５】
シフト信号Ｓ０のレベルを第１レベルとしてから、電荷取り出しに必要な時間の経過後、制御部は、シフト信号Ｓ０のレベルを第２レベルとする。第１レベルがＨｉｇｈレベルのとき、第２レベルはＬｏｗレベルである。第１レベルがＬｏｗレベルのとき、第２レベルはＨｉｇｈレベルである。シフト信号Ｓ０のレベルが第２レベルのとき、シフトスイッチ８はＯＦＦ状態となる。受光素子６０と転送素子７０の接続が解除される。受光素子６０は、受光量に応じて電荷を蓄える状態になる。
【００４６】
シフト信号Ｓ０を第１レベルに変化させる周期は１ラインの読取周期と対応する。１ライン分のランプ１４の照射が完了するごとに、読取制御部１０は、シフト信号Ｓ０を第１レベルとする。副走査方向にラインの読み取りを繰り返すことで、１枚の原稿が読み取られる。
【００４７】
読取制御部１０は転送信号生成回路１０ｂを含む。転送信号生成回路１０ｂは、第１転送信号φ１と第２転送信号φ２を生成する。第１転送信号φ１は、例えば、クロック信号である。第２転送信号φ２は、第１転送信号φ１と位相が１８０度異なる信号である。
【００４８】
各転送素子７０に各転送信号を入力するため、第１転送信号線ＳＬ１と第２転送信号線ＳＬ２が設けられる。第１転送信号線ＳＬ１は、第１転送信号φ１を各転送素子７０に入力する。第２転送信号線ＳＬ２は、第２転送信号φ２を各転送素子７０に入力する。例えば、第１転送信号φ１と第２転送信号φ２のうち、何れかが立ち上がるごとに又は立ち下がるごとに、各転送素子７０は、電荷を隣の（出力端子側の）転送素子７０に転送する（シフトする）。
【００４９】
複合機１００では、転送素子７０のうち、１番目の転送素子７０に転送回路部７の出力端子Ｖ１が接続される。そのため、各転送素子７０は１番目の転送素子７０方向に電荷をシフトする。図５の各転送素子７０には、順番を示す数字を記入している。図５のうち、数字の１を含む転送素子７０が先頭（１番目）の転送素子７０である。図５のうち、数字の７０１６を含む転送素子７０が末尾（最後）の転送素子７０である。言い換えると、電荷のシフト方向において、最も下流側（出力端子Ｖ１側）にある転送素子７０が先頭の転送素子７０である。電荷のシフト方向において、最も上流側にある転送素子７０は、順番が最後の転送素子７０である。
【００５０】
第１転送信号線ＳＬ１と第２転送信号線ＳＬ２の周期は、１ラインの読取周期中に、末尾端の転送素子７０（出力端子Ｖ１から最も遠い転送素子７０）の電荷を先頭の転送素子７０まで転送できる時間とされる。図５の例では、第１転送信号φ１と第２転送信号φ２の周期は、７０１６回以上、１ラインの読取周期中に電荷を転送できる周期とされる。
【００５１】
（スイッチ９）
次に、図５、図６を用いて、実施形態に係るスイッチ９の一例を説明する。図６は、実施形態に係るスイッチ９のＯＮ／ＯＦＦによる読取幅の変化の一例を示す図である。
【００５２】
複合機１００は、第１転送信号φ１と第２転送信号φ２の伝達を制御するためのスイッチ９を含む。読取制御部１０は、スイッチ９のＯＮ／ＯＦＦを行う。スイッチ９は、例えば、ＦＥＴである。スイッチ９は、第１転送信号線ＳＬ１と第２転送信号線ＳＬ２接続される。ＯＮ状態のとき、スイッチ９は、第１転送信号φ１と第２転送信号φ２を伝達する。ＯＦＦ状態のとき、スイッチ９は第１転送信号φ１と第２転送信号φ２を伝達しない。
【００５３】
そのため、スイッチ９がＯＮ状態のとき、全ての転送素子７０に各転送信号が入力される。一方、スイッチ９がＯＦＦ状態のとき、スイッチ９が設けられた場所よりも順番が後（電荷シフト方向上流側）の転送素子７０に第１転送信号φ１と第２転送信号φ２が入力されなくなる。言い換えると、スイッチ９がＯＦＦ状態のとき、スイッチ９と転送信号生成回路１０ｂの間の各転送信号線に接続される転送素子７０には、第１転送信号φ１と第２転送信号φ２が入力される。また、スイッチ９がＯＦＦ状態のとき、スイッチ９よりもシフト方向上流側の各転送信号線に接続された転送素子７０には、第１転送信号φ１と第２転送信号φ２が入力されない。
【００５４】
スイッチ９がＯＦＦ状態のとき、スイッチ９よりもシフト方向下流側の転送素子７０の電荷は出力できる。一方、スイッチ９がＯＦＦ状態のとき、スイッチ９よりもシフト方向上流側の転送素子７０の電荷は出力できない。つまり、ラインセンサー６の読取幅が狭くなる。
【００５５】
以下の説明では、スイッチ９がＯＦＦ状態のとき、第１転送信号φ１と第２転送信号φ２が入力される転送素子７０を第１転送素子７１と称する。第１転送素子７１は、スイッチ９よりも電荷のシフト方向下流側の各転送信号線に接続された転送素子７０である。また、スイッチ９がＯＦＦ状態のとき、第１転送信号φ１と第２転送信号φ２が入力されなくなる転送素子７０を第２転送素子７２と称する。第２転送素子７２は、スイッチ９よりも電荷のシフト方向上流側の各転送信号線に接続された転送素子７０である。
【００５６】
また、以下の説明では、第１転送素子７１と接続される受光素子６０を第１受光素子６１と称する。また、第２転送素子７２と接続される受光素子６０を第２受光素子６２と称する。スイッチ９がＯＦＦ状態のとき、第１受光素子６１は原稿読み取りに用いることができる。一方、第２受光素子６２は原稿読み取りに用いることができない。
【００５７】
また、以下の説明では、第１転送素子７１（第１受光素子６１）のみで読み取ることができる原稿の最大の読取幅を第１読取幅Ｗ１と称する。また、第１受光素子６１と第２受光素子６２（第１転送素子７１と第２転送素子７２）の両方を用いて読み取ることができる原稿の最大の読取幅を第２読取幅Ｗ２と称する。
【００５８】
図５は、５１０２番目の転送素子７０と５１０３番目の転送素子７０の間にスイッチ９を設ける例を示す。５１０２×４２．３μｍ≒２１．６ｃｍとなる。なお、読取解像度は６００ｄｐｉである。つまり、図５は、第１読取幅Ｗ１がＡ４短辺相当である例を示す。スイッチ９をＯＦＦしている状態では、主走査方向のサイズがＡ４短辺である原稿を読み取ることができる。つまり、スイッチ９をＯＦＦしているとき、ラインセンサー６をＡ４読取用のセンサーとして用いることができる。
【００５９】
図６は、図５の位置にスイッチ９を設ける場合の第１読取幅Ｗ１、第２読取幅Ｗ２、第１受光素子６１、第２受光素子６２、第１転送素子７１、第２転送素子７２の関係を示す。スイッチ９の設置位置は、両端の転送素子７０の間の何れかの位置とされる。スイッチ９は、第１読取幅Ｗ１がＡ４短辺となる位置に限られない。第１読取幅Ｗ１が、例えば、レターサイズの短辺の長さとなるようにスイッチ９を設けてもよい。
【００６０】
また、スイッチ９は、１つに限られない。複数、スイッチ９を設けても構わない。この場合、第１読取幅Ｗ１が複数種類となる。また、読取制御部１０は、ＯＦＦ状態にするスイッチ９よりも電荷のシフト方向の下流側のスイッチ９については、ＯＮ状態とする。
【００６１】
（原稿の読み取りでの設定）
次に、図７を用いて、実施形態に係る複合機１００での原稿の読み取りでの設定の一例を説明する。図７は、実施形態に係る複合機１００での原稿の読み取りでの設定の流れの一例を示す図である。
【００６２】
図７のスタートは、原稿の読取を開始する時点である。コピージョブやスキャン送信ジョブのような原稿の読み取りを伴うジョブを開始する時点である。例えば、操作パネル４でスタートキー４ｄが操作された時点である。
【００６３】
まず、読取制御部１０は、原稿の主走査方向の幅を認識する（ステップ♯１）。例えば、主制御部１０１は、操作パネル４に入力された原稿のサイズの設定に基づき、原稿のサイズを認識してもよい。また、主制御部１０１は、原稿サイズセンサー２２の出力に基づき原稿のサイズを認識してもよい。認識した原稿のサイズに基づき、主制御部１０１は、原稿の主走査方向の幅を読取制御部１０に通知する。通知に基づき、読取制御部１０は、読取幅を認識する。
【００６４】
読取制御部１０は、原稿の主走査方向の幅が第１読取幅Ｗ１以下であるか否かを確認する（ステップ♯２）。第１読取幅Ｗ１以下のとき（ステップ♯２のＹｅｓ）、読取制御部１０はスイッチ９をＯＦＦ状態にする（ステップ♯３）。また、読取制御部１０は、１ラインの読取周期を第１周期に設定する（ステップ♯４）。また、読取制御部１０は、送り読取の場合、原稿の搬送速度を第１搬送速度に設定し、テーブル読取の場合、第１移動枠１ｃの移動速度を第１移動速度に設定する（ステップ♯５）。さらに、読取制御部１０は、ランプ１４の光量を第１光量に設定する（ステップ♯６）。読取制御部１０は、原稿の読み取りを開始する（ステップ♯７）。そして、本フローは終了する（エンド）。
【００６５】
その結果、原稿の主走査方向の幅が第１読取幅Ｗ１以下のとき、読取制御部１０は、第１周期で原稿の読取を行わせる。そのため、読取制御部１０は、シフト信号Ｓ０の周期を第１周期に対応する周期とする。言い換えると、読取制御部１０は、第１周期の間にシフト信号Ｓ０のレベルを１回変化させる。また、送り読取の場合、読取制御部１０は、第１搬送速度で原稿を搬送させる。第１搬送速度で原稿が搬送されるように、読取制御部１０は、原稿搬送モーター２３を回転させる。一方、テーブル読取の場合、読取制御部１０は、第１移動枠１ｃを第１移動速度で移動させる。第１移動速度で第１移動枠１ｃが移動するように、読取制御部１０は、巻き取りモーターを回転させる。さらに、読取制御部１０は、１ラインの読み取り中、ランプ１４を第１光量で点灯させる。制御部は、第１光量でランプ１４が点灯するように、点灯回路１４ａに電流を供給させる。
【００６６】
原稿の主走査方向の幅が第１読取幅Ｗ１を超えているとき（ステップ♯２のＮｏ）、読取制御部１０はスイッチ９をＯＮ状態にする（ステップ♯８）。また、読取制御部１０は、１ラインの読取周期を第２周期に設定する（ステップ♯９）。また、読取制御部１０は、搬送読取の場合、原稿の搬送速度を第２搬送速度に設定し、テーブル読取の場合、第１移動枠１ｃの移動速度を第２移動速度に設定する（ステップ♯１０）。さらに、読取制御部１０は、ランプ１４の光量を第２光量に設定する（ステップ♯１１）。そして、読取制御部１０は、原稿の読み取りを開始する（ステップ♯１２）。そして、本フローは終了する（エンド）。
【００６７】
その結果、原稿の主走査方向の幅が第１読取幅Ｗ１を超えているとき、読取制御部１０は、第２周期で原稿の読取を行わせる。そのため、読取制御部１０は、シフト信号Ｓ０の周期を第２周期に対応する周期とする。言い換えると、読取制御部１０は、第２周期の間にシフト信号Ｓ０のレベルを１回変化させる。また、送り読取の場合、読取制御部１０は、第２搬送速度で原稿を搬送させる。第２搬送速度で原稿が搬送されるように、読取制御部１０は、原稿搬送モーター２３を回転させる。一方、テーブル読取の場合、読取制御部１０は、第１移動枠１ｃを第２移動速度で移動させる。第２移動速度で第１移動枠１ｃが移動するように、読取制御部１０は、巻き取りモーターを回転させる。さらに、読取制御部１０は、１ラインの読み取り中、ランプ１４を第２光量で点灯させる。制御部は、第２光量でランプ１４が点灯するように、点灯回路１４ａに電流を供給させる。
【００６８】
複合機１００では、原稿の主走査方向の幅が第１読取幅Ｗ１を超えているか否かによらず、読取制御部１０（転送信号生成回路１０ｂ）は、第１転送信号φ１と第２転送素子７２の周期（周波数）を変えない（同じとする）。
【００６９】
そして、第１読取幅Ｗ１は第２読取幅Ｗ２よりも狭い。そのため、第１読取幅Ｗ１のとき、第２受光素子６２と第２転送素子７２は必要がない（用いない）。第１転送信号φ１と第２転送素子７２の周期を変えないので、第１読取幅Ｗ１での読み取りでは、第２読取幅Ｗ２での読み取りのときよりも、１ライン分の全画素の電荷転送所要時間が短くてすむ。
【００７０】
そのため、読取制御部１０は、第１読取幅Ｗ１に対応する第１周期は、第２読取幅Ｗ２に対応する第２周期よりも短くする。読取制御部１０は、第１読取幅Ｗ１での１ラインの画素数（第１転送素子７１の数）と第２読取幅Ｗ２での１ラインの画素数（第１転送素子７１と第２転送素子７２の和）との比率に基づき、第１周期と第２周期の長さを定める。例えば、第１転送素子７１の数が５１０２、第１転送素子７１と第２転送素子７２の和が７０１６のとき、比率は、５１０２÷７０１６≒０．７３となる。読取制御部１０は、第２周期を１とするとき、第１周期の長さを０．７３とする読取制御部１０は、第２周期に比率を乗ずる。
【００７１】
また、原稿の主走査方向の幅が第１読取幅Ｗ１以下のとき、１ラインの読取周期（第１周期）は、第２周期よりも短くなる。そのため、送り読取の場合、読取制御部１０は、第１搬送速度を第２搬送速度よりも速くする。原稿の主走査方向の幅が第１読取幅Ｗ１以下のとき、読取制御部１０は、第１搬送速度を、第１周期で１ドット分の距離だけ搬送される速度とする。原稿の主走査方向の幅が第１読取幅Ｗ１を超えているとき、読取制御部１０は、第２搬送速度を、第２周期で１ドット分の距離だけ搬送される速度とする。これにより、設定された読取解像度で読み取れるように、原稿の搬送速度を設定することができる。
【００７２】
また、テーブル読取では、読取制御部１０は、第１移動速度を第２移動速度よりも速くする。原稿の主走査方向の幅が第１読取幅Ｗ１以下のとき、読取制御部１０は、第１移動速度を、第１周期で１ドット分の距離だけ第１移動枠１ｃを移動できる速度とする。原稿の主走査方向の幅が第１読取幅Ｗ１を超えているとき、読取制御部１０は、第２移動速度を、第２周期で１ドット分の距離だけ第１移動枠１ｃを移動できる速度とする。これにより、設定された読取解像度で読み取れるように、第１移動枠１ｃの移動速度を設定することができる。
【００７３】
原稿の主走査方向の幅が第１読取幅Ｗ１以下のとき、１ラインの読取周期が短くなるので、第１受光素子６１の電荷時間が短くなる。その結果、生成される画像データが暗くなるおそれがある。そこで、読取制御部１０は、第１光量を第２光量よりも大きくする。第２光量に対してどれだけ第１光量を大きくするかは、第１周期と第２周期の比率（第１転送素子７１の数と第１転送素子７１と第２転送素子７２の和との比率）に基づき定めてもよい。例えば、読取制御部１０は、第２周期を第１周期で除して得られる比率だけ、第１光量を第２光量よりも大きくしてもよい。
【００７４】
記憶部３は、第１読取幅Ｗ１、第２読取幅Ｗ２、第１周期、第２周期、第１搬送速度、第２搬送速度、第１移動速度、第２移動速度、第１光量、第２光量が予め定義された読取設定データ３１を記憶する。読取制御部１０は、読取設定データ３１を参照し、原稿読み取り時の１ラインの読取周期、搬送速度又は移動速度、ランプ１４の光量を設定する。
【００７５】
このようにして、実施形態に係る画像読取装置は、ランプ１４、イメージセンサー部１３、画像データ生成部１５、スイッチ９、制御部（読取制御部１０）を含む。ランプ１４は、原稿に光を照射する。イメージセンサー部１３は、ラインセンサー６と転送回路部７を含む。ラインセンサー６は、原稿の反射光を受光し、並べられた複数の受光素子６０を含む。転送回路部７は各受光素子６０に対応して設けられる。転送回路部７は受光素子６０から蓄えられた電荷を受ける。転送回路部７は転送信号のレベル変化に基づき電荷を転送する転送素子７０を含む。画像データ生成部１５は、転送回路部７から出力される電荷に基づき、画像データを生成する。スイッチ９は、転送信号の伝達を制御する。制御部は、スイッチ９のＯＮ／ＯＦＦを行う。ラインセンサー６は、第１読取幅Ｗ１での原稿の読み取りに必要な第１受光素子６１と、第２読取幅Ｗ２での原稿の読み取りに必要であるが第１読取幅Ｗ１での原稿読み取りに必要がない第２受光素子６２を含む。第２読取幅Ｗ２は第１読取幅Ｗ１よりも広い。スイッチ９は、各転送素子７０に転送信号を入力するための転送信号線と接続される。スイッチ９は、第１受光素子６１に対応する転送素子７０である第１転送素子７１と、第２受光素子６２に対応する転送素子７０である第２転送素子７２のうち、第２転送素子７２への転送信号の入力、非入力を切り替える。
【００７６】
この構成によれば、第２受光素子６２に対応する第２転送素子７２への転送信号の入力、非入力を切り替えることができる。第２転送素子７２からの電荷の転送がなされなくなる。実質的にイメージセンサーの画素数を切り替えることができる。読取可能最大サイズが第２読取幅Ｗ２のイメージセンサーを、読取可能最大サイズが第１読取幅Ｗ１のイメージセンサーとして用いることができる。また、第１読取幅Ｗ１での１ラインの全画素の電荷転送の所要時間を、第２読取幅Ｗ２の所要時間よりも短くすることができる。
【００７７】
また、１つのイメージセンサーを読取幅（読取可能最大サイズ）が異なる画像読取装置で兼用することができる。異なる読取幅ごとに、イメージセンサーを製造する必要が無くなる。大量生産によって、イメージセンサーの製造コストを減らすことができる。また、イメージセンサーを組み込んだ製品を設計する場合、複数の機種で設計を共通化することができる。イメージセンサーを組み込んだ製品を生産する場合、従来よりも部品管理が簡素化される。画像読取装置の価格を下げることができる。
【００７８】
ＯＮ状態のとき、スイッチ９は、第１転送素子７１と、第２転送素子７２に転送信号を入力する。ＯＦＦ状態のとき、スイッチ９は、第１転送素子７１に転送信号を入力するが、第２転送素子７２に転送信号を入力しない。制御部は、原稿の主走査方向の幅を認識する。制御部は、読取幅が第１読取幅Ｗ１以下のとき、スイッチ９をＯＦＦ状態とする。読取幅が第１読取幅Ｗ１を超えているとき、制御部は、スイッチ９をＯＮ状態とする。スイッチ９のＯＮ／ＯＦＦだけで、イメージセンサーの読取幅を切り替えることができる。スイッチ９のＯＮ／ＯＦＦだけで、第２読取幅Ｗ２用のイメージセンサーを、第１読取幅Ｗ１のイメージセンサーとしても用いることができる。読取幅の差に応じて、使用する転送素子７０を切り替えることができる。
【００７９】
複合機１００（画像読取装置）は、原稿を読取位置に搬送する原稿搬送部２を含む。制御部は、１ラインの読取周期を設定する。読取幅が第１読取幅Ｗ１以下のとき、制御部は、読取周期として第１周期を設定する。読取幅が第１読取幅Ｗ１を超えているとき、制御部は、読取周期として第２周期を設定する。読取幅が第１読取幅Ｗ１以下のとき、制御部は、第１搬送速度で原稿搬送部２に原稿を搬送させる。読取幅が第１読取幅Ｗ１を超えているとき、制御部は、第２搬送速度で原稿搬送部２に原稿を搬送させる。第１周期は、第２周期よりも短い。第１搬送速度は、第２搬送速度よりも速い。第１読取幅Ｗ１での１ラインの読取周期（第１周期）を、第２読取幅Ｗ２での１ラインの読取周期（第２周期）よりも短くすることができる。原稿読取を高速に行うことができる。また、第１読取幅Ｗ１での読み取りのとき、１ラインの読取周期の短縮化にあわせ、用紙搬送速度を速くすることができる。読み取りでの１ラインの幅を一定の値とすることができる。
【００８０】
複合機１００（画像読取装置）は、原稿が置かれる載置読取用コンタクトガラス１ｂと、ランプ１４と原稿の反射光をラインセンサー６に導くミラーと、ランプ１４とミラーが設けられた移動枠を移動させる移動機構１２を含む。制御部は、１ラインの読取周期を設定する。読取幅が第１読取幅Ｗ１以下のとき、制御部は、読取周期として第１周期を設定する。読取幅が第１読取幅Ｗ１を超えているとき、制御部は、読取周期として第２周期を設定する。読取幅が第１読取幅Ｗ１以下のとき、制御部は、第１移動速度で移動枠を移動機構１２に移動させる。読取幅が第１読取幅Ｗ１を超えているとき、制御部は、第２移動速度で移動枠を移動機構１２に移動させる。第１移動速度は第２移動速度よりも速い。第１読取幅Ｗ１での読み取りのとき、１ラインの読取周期の短縮にあわせ、移動枠の移動速度を速くすることができる。読み取りでの１ラインの幅を一定の値とすることができる。
【００８１】
読取幅が第１読取幅Ｗ１以下のとき、制御部は、第１光量でランプ１４を点灯させる。読取幅が第１読取幅Ｗ１を超えているとき、制御部は、第２光量でランプ１４を点灯させる。第１光量は、第２光量よりも多い。第１読取幅Ｗ１での読み取りのとき、１ラインの読取周期が短くなっても、読み取りでの光量不足を防ぐことができる。
【００８２】
（変形例）
上記の説明では、原稿の主走査方向の幅に応じて、読取制御部１０がスイッチ９のＯＮ／ＯＦＦを制御する例を説明した。しかし、読取制御部１０は、第２受光素子６２に対応する転送素子７０への転送信号を非入力とする状態でスイッチ９の状態を固定してもよい。これにより、使用上、読取可能最大サイズが第１読取幅Ｗ１の画像読取装置に、読取可能最大サイズが第２読取幅Ｗ２であるイメージセンサー部１３を転用することができる。読取可能最大サイズが第２読取幅Ｗ２のイメージセンサーを用いて、読取可能最大サイズが第１読取幅Ｗ１の画像読取装置を提供することができる。イメージセンサーを読取幅が異なる機種で兼用することができる。例えば、Ａ３読取用のイメージセンサーをＡ４読取専用機に用いることができる。画像読取装置に使用する部品の集約化につながる。
【００８３】
以上、本発明の実施形態と変形例を説明したが、本発明の範囲はこれに限定されず、発明の主旨を逸脱しない範囲で種々の変更を加えて実施することができる。
【産業上の利用可能性】
【００８４】
本発明は、イメージセンサーを含む画像読取装置に利用可能である。
【符号の説明】
【００８５】
１００  複合機（画像読取装置）        １      画像読取部
１０    読取制御部（制御部）          １２    移動機構
１３    イメージセンサー部            １４    ランプ
１５    画像データ生成部              １ｂ    載置読取用コンタクトガラス
１ｆ    第１ミラー                    １ｇ    第２ミラー
１ｈ    第３ミラー                    １ｃ    第１移動枠
２      原稿搬送部                    ６      ラインセンサー
６０    受光素子                      ６１    第１受光素子
６２    第２受光素子                  ７      転送回路部
７０    転送素子                      ７１    第１転送素子
７２    第２転送素子                  ９      スイッチ
φ１    第１転送信号                  φ２    第２転送信号
Ｗ１    第１読取幅                    Ｗ２    第２読取幅
【図１】
2020022119.tif 000003
【図２】
2020022119.tif 000004
【図３】
2020022119.tif 000005
【図４】
2020022119.tif 000006
【図５】
2020022119.tif 000007
【図６】
2020022119.tif 000008
【図７】
2020022119.tif 000009